(57)【要約】【課題】様々な大きさや形状の椅子脚に対してしっかりと装着することができて取り付け後に外れにくい椅子脚カバーを提供すること。【解決手段】椅子の脚を被覆するように取り付けられる椅子脚カバーであって、前記脚の底面を被覆する底面被覆部と、前記脚の外周面を被覆する軟質素材製の外周面被覆部とから構成されており、前記外周面被覆部は、前記脚の外周面の後部及び側部を覆う第一部材と、該第一部材の内側に配置されて前記脚の外周面の前部を覆う第二部材とからなり、前記第一部材は、前記脚の外周面の右側部分を覆う右被覆部と、前記脚の外周面の左側部分を覆う左被覆部とが、連結手段により互いに連結されている、ことを特徴とする椅子脚カバーである。【選択図】図１
2014131555.tif 000002
【特許請求の範囲】
【請求項１】
椅子の脚を被覆するように取り付けられる椅子脚カバーであって、
前記脚の底面を被覆する底面被覆部と、前記脚の外周面を被覆する軟質素材製の外周面被覆部とから構成されており、
前記外周面被覆部は、前記脚の外周面の後部及び側部を覆う第一部材と、該第一部材の内側に配置されて前記脚の外周面の前部を覆う第二部材とからなり、
前記第一部材は、前記脚の外周面の右側部分を覆う右被覆部と、前記脚の外周面の左側部分を覆う左被覆部とが、連結手段により互いに連結されている、
ことを特徴とする椅子脚カバー。
【請求項２】
前記連結手段が紐であって、前記右被覆部及び前記左被覆部には複数の貫通穴が上下方向に間隔をあけて設けられており、前記貫通穴に挿通された紐により前記右被覆部と前記左被覆部とが分離可能に連結されていることを特徴とする請求項１記載の椅子脚カバー。
【請求項３】
前記連結手段が面ファスナーであって、該面ファスナーにより前記右被覆部と前記左被覆部とが分離可能に連結されていることを特徴とする請求項１記載の椅子脚カバー。
【請求項４】
前記連結手段が弾性部材であって、該弾性部材は前記右被覆部と前記左被覆部との間を分離不能且つ伸縮可能に連結していることを特徴とする請求項１記載の椅子脚カバー。
【請求項５】
前記外周面被覆部が、大径部と小径部とを有することを特徴とする請求項１乃至４いずれかに記載の椅子脚カバー。
【請求項６】
前記第一部材は、前記連結手段により連結される連結部において、前記右被覆部の縁部と前記左被覆部の縁部との間の間隔が下方から上方に向かうにつれて次第に広くなっており、
前記第二部材の幅は、下方から上方に向かうにつれて次第に狭くなっている、
ことを特徴とする請求項１乃至５いずれかに記載の椅子脚カバー。
【請求項７】
前記第一部材は、前記連結部の下端部より下方において、前記右被覆部の縁部と前記左被覆部の縁部との間の間隔が上方から下方に向かうにつれて次第に広くなっている、
ことを特徴とする請求項６記載の椅子脚カバー。
【発明の詳細な説明】
【技術分野】
【０００１】
本発明は椅子の脚を被覆するように取り付けられる椅子脚カバーに関し、より詳しくは、様々な大きさや形状の椅子脚に対してしっかりと取り付けることができる椅子脚カバーに関する。
【背景技術】
【０００２】
従来、フローリングの床等に傷がつくことを防ぐ等の目的のため、椅子の脚にカバーを被せることが行われている。
このような椅子の脚に被せられる椅子脚カバーとしては、有底円筒状や有底四角筒状のゴム製の椅子カバーが知られている（下記特許文献１参照）。
しかしながら、このような椅子カバーは、取り付けることができる椅子脚の大きさ（太さ）や形状が限られており、様々な大きさや形状の椅子脚に取り付けることができないという問題があった。
【０００３】
一方、袋状体の上端部にゴム紐を取り付けた構造の椅子脚カバーも知られている（下記特許文献２参照）。
このような椅子脚カバーによれば、特許文献１に記載されたような椅子脚カバーと比較すると、変形の自由度が高いため、ある程度の範囲で異なる大きさや形状の椅子脚に取り付けることが可能となる。
しかしながら、このような椅子脚カバーは、上端部の一箇所のみで椅子脚に対して固定されることから、固定が不十分となり易く、例えば下方に向けて細くなる形状の椅子脚等にはしっかりと固定することができず、外れやすくなるという問題があった。
【先行技術文献】
【特許文献】
【０００４】
【特許文献１】実用新案登録第３０２９５２４号公報
【特許文献２】実用新案登録第３０９２９０２号公報
【発明の概要】
【発明が解決しようとする課題】
【０００５】
本発明は、上記したような従来技術の問題点を解決すべくなされたものであって、様々な大きさや形状の椅子脚に対してしっかりと装着することができて取り付け後に外れにくい椅子脚カバーを提供するものである。
【課題を解決するための手段】
【０００６】
請求項１に係る発明は、椅子の脚を被覆するように取り付けられる椅子脚カバーであって、前記脚の底面を被覆する底面被覆部と、前記脚の外周面を被覆する軟質素材製の外周面被覆部とから構成されており、前記外周面被覆部は、前記脚の外周面の後部及び側部を覆う第一部材と、該第一部材の内側に配置されて前記脚の外周面の前部を覆う第二部材とからなり、前記第一部材は、前記脚の外周面の右側部分を覆う右被覆部と、前記脚の外周面の左側部分を覆う左被覆部とが、連結手段により互いに連結されている、ことを特徴とする椅子脚カバーに関する。
【０００７】
請求項２に係る発明は、前記連結手段が紐であって、前記右被覆部及び前記左被覆部には複数の貫通穴が上下方向に間隔をあけて設けられており、前記貫通穴に挿通された紐により前記右被覆部と前記左被覆部とが分離可能に連結されていることを特徴とする請求項１記載の椅子脚カバーに関する。
【０００８】
請求項３に係る発明は、前記連結手段が面ファスナーであって、該面ファスナーにより前記右被覆部と前記左被覆部とが分離可能に連結されていることを特徴とする請求項１記載の椅子脚カバーに関する。
【０００９】
請求項４に係る発明は、前記連結手段が弾性部材であって、該弾性部材は前記右被覆部と前記左被覆部との間を分離不能且つ伸縮可能に連結していることを特徴とする請求項１記載の椅子脚カバーに関する。
【００１０】
請求項５に係る発明は、前記外周面被覆部が、大径部と小径部とを有することを特徴とする請求項１乃至４いずれかに記載の椅子脚カバーに関する。
【００１１】
請求項６に係る発明は、前記第一部材は、前記連結手段により連結される連結部において、前記右被覆部の縁部と前記左被覆部の縁部との間の間隔が下方から上方に向かうにつれて次第に広くなっており、前記第二部材の幅は、下方から上方に向かうにつれて次第に狭くなっている、ことを特徴とする請求項１乃至５いずれかに記載の椅子脚カバーに関する。
【００１２】
請求項７に係る発明は、前記第一部材は、前記連結部の下端部より下方において、前記右被覆部の縁部と前記左被覆部の縁部との間の間隔が上方から下方に向かうにつれて次第に広くなっている、ことを特徴とする請求項６記載の椅子脚カバーに関する。
【発明の効果】
【００１３】
請求項１に係る発明によれば、軟質素材製の外周面被覆部が、椅子脚の外周面の後部及び側部を覆う第一部材と、該第一部材の内側に配置されて前記脚の外周面の前部を覆う第二部材とからなり、第一部材は、前記脚の外周面の右側部分を覆う右被覆部と、前記脚の外周面の左側部分を覆う左被覆部とが、連結手段により互いに連結されていることから、外周面被覆部内周の大きさや形状を椅子脚外周の大きさや形状に合わせて変化させた状態で椅子脚に取り付け、連結手段にて締め付け固定することができる。そのため、様々な大きさや形状の椅子脚に対してしっかりと装着することができて外れにくい椅子脚カバーとなる。
【００１４】
請求項２に係る発明によれば、前記連結手段が紐であって、前記右被覆部及び前記左被覆部には複数の貫通穴が上下方向に間隔をあけて設けられており、前記貫通穴に挿通された紐により前記右被覆部と前記左被覆部とが分離可能に連結されていることから、複数箇所で椅子脚を締め付けることができ、椅子脚から外れにくくなる。しかも、紐を結ぶ位置を変えることにより、例えば、上部が太い椅子脚や、太い部分と細い部分を有する椅子脚に対しても、しっかりと締め付け固定することができる。
【００１５】
請求項３に係る発明によれば、前記連結手段が面ファスナーであって、該面ファスナーにより前記右被覆部と前記左被覆部とが分離可能に連結されていることから、椅子脚への取り付け及び取り外しを容易に行うことができる。
【００１６】
請求項４に係る発明によれば、前記連結手段が弾性部材であって、該弾性部材は前記右被覆部と前記左被覆部との間を分離不能且つ伸縮可能に連結していることから、弾性部材の伸縮を利用して椅子脚に対して取り付け及び取り外しを行うことができるため、紐を結んだり面ファスナーを接合させたりする作業が不要となり、簡単に短時間で取り付け及び取り外しを行うことが可能となる。
【００１７】
請求項５に係る発明によれば、前記外周面被覆部が大径部と小径部とを有することから、大径部と小径部とを有する椅子脚の外周面に対して密着させてしっかりと装着することができ、脱落を防ぐことが可能となる。
【００１８】
請求項６に係る発明によれば、第一部材は、連結手段により連結される連結部において、右被覆部の縁部と左被覆部の縁部との間の間隔が下方から上方に向かうにつれて次第に広くなっており、第二部材の幅は、下方から上方に向かうにつれて次第に狭くなっていることから、第二部材の変形の自由度が上方において高くなる。そのため、上方に向けて太くなる形状を有する椅子脚に対して容易に且つ確実に装着することが可能となる。
【００１９】
請求項７に係る発明によれば、第一部材は、連結部の下端部より下方において、右被覆部の縁部と左被覆部の縁部との間の間隔が上方から下方に向かうにつれて次第に広くなっていることから、第二部材の変形の自由度が下端部において高くなる。そのため、下端部付近に膨らみを有する形状の椅子脚に対して容易に且つ確実に装着することが可能となる。
【図面の簡単な説明】
【００２０】
【図１】本発明に係る椅子脚カバーの正面図である。
【図２】本発明に係る椅子脚カバーの左側面図である。
【図３】本発明に係る椅子脚カバーの平面図である。
【図４】本発明に係る椅子脚カバーの底面図である。
【図５】本発明に係る椅子脚カバーの第一部材の展開図（ａ）と第二部材の展開図（ｂ）である。
【図６】本発明に係る椅子脚カバーの変更例を示す正面図である。
【図７】本発明に係る椅子脚カバーの変更例を示す正面図である。
【図８】本発明に係る椅子脚カバーの変更例を示す正面図である。
【図９】本発明に係る椅子脚カバーの使用状態の一例を示す図である。
【図１０】本発明に係る椅子脚カバーの使用状態の一例を示す拡大図である。
【図１１】本発明に係る椅子脚カバーの使用状態の一例を示す拡大図である。
【図１２】本発明に係る椅子脚カバーの使用状態の一例を示す拡大図である。
【図１３】本発明に係る椅子脚カバーの使用状態の一例を示す拡大図である。
【発明を実施するための形態】
【００２１】
以下、本発明に係る椅子脚カバーの好適な実施形態について、図面を参照しながら説明する。
図１乃至図４は本発明に係る椅子脚カバーを示す図であって、図１は正面図、図２は左側面図、図３は平面図、図４は底面図である。
本発明に係る椅子脚カバー（１）は、椅子の脚（以下、単に「脚」とのみ称する場合がある）を被覆するように取り付けられるものであって、脚の底面を被覆する底面被覆部（２）と、脚の外周面を被覆する外周面被覆部（３）とから構成されており、全体として略有底筒状を呈している。
【００２２】
底面被覆部（２）は略平板状の部材である。底面被覆部（２）の材質は特に限定されないが、好適にはフローリングの床に擦っても傷を付けることがない素材、例えばゴムや合成樹脂やフェルト等から形成される。底面被覆部（２）の具体的形状は、図示例では円板状であるが、これに限定されず、四角形板状や六角形板状等の角形板状や楕円板状等の他の形状であってもよい。
【００２３】
外周面被覆部（３）は、容易に変形可能な軟質素材製の薄い布からなり、例えばフェルトやポリエチレン布等から形成されている。尚、図１乃至図４における破線は、外周面被覆部（３）を構成する布の端部を補強のために折り返して縫合した縫合線を示している。
外周面被覆部（３）は、その下端部が底面被覆部（２）の外縁部に縫合されることにより、底面被覆部（２）と接続されている。
【００２４】
外周面被覆部（３）は、脚の外周面の後部と側部（右側部及び左側部）を覆う第一部材（３１）と、脚の外周面の前部を覆う第二部材（３２）とから構成されており、第二部材（３２）は第一部材（３１）よりも内側に配置されている（図３参照）。
図５（ａ）は第一部材（３１）の展開図を示し、図５（ｂ）は第二部材（３２）の展開図を示している。但し、第一部材（３１）及び第二部材（３２）の具体的な形状や寸法は図５には限定されない。
第一部材（３１）に設けられた前記右側部を覆う右被覆部（３１ａ）と前記左側部を覆う左被覆部（３１ｂ）は、上下方向の複数箇所において連結手段により互いに連結されている。
【００２５】
連結手段の種類は特に限定されないが、本発明においては分離可能及び／又は伸縮可能な連結手段が好適に使用される。また、連結手段は、外周面被覆部（３）の上下方向の複数箇所において、脚を締め付けることができるように設けることが好ましい。
【００２６】
図１乃至図４では、連結手段が紐（４）である場合が示されている。
紐（４）は、綿やナイロン等からなる編み紐等の低伸縮性のものを使用してもよいし、ゴム紐等の高伸縮性のものを使用してもよい。
第一部材（３１）の右被覆部（３１ａ）と左被覆部（３１ｂ）にはそれぞれ、上下方向に所定間隔をあけて複数（図示例では４つ）の貫通穴（５）が設けられている。１本の紐（４）が、右被覆部（３１ａ）の貫通穴（５）と左被覆部（３１ｂ）の貫通穴（５）に交互に挿通されている。椅子脚に対して、椅子脚カバー（１）を取り付ける際には、左右の上端部の貫通穴（５）を通過した紐（４）の先端を互いに結び、紐（４）で脚を締め付けることにより取り付けることができる（図１０等参照）。このとき、紐（４）が外周面被覆部（３）の上下方向の複数箇所において脚を締め付けるため、脚に対してしっかりと固定することができる。
【００２７】
第一部材（３１）は、連結手段（紐（４）等）により連結される連結部において、右被覆部（３１ａ）の縁部と左被覆部（３１ｂ）の縁部との間の間隔が、下方から上方に向かうにつれて次第に広くなっている。即ち、図１において、Ｄ１＞Ｄ２となっている。
一方、第二部材（３２）の幅は、下方から上方に向かうにつれて次第に狭くなっている。即ち、図５において、Ｄ３＜Ｄ４となっている。
このような構成を採ることにより、第二部材（３２）の変形の自由度が上方において高くなる。そのため、上方に向けて太くなる形状を有する椅子脚に対して容易に且つ確実に装着することが可能となる。
【００２８】
第一部材（３１）は、連結手段（紐（４）等）により連結される連結部の下端部（３１ｃ）より下方において、右被覆部（３１ａ）の縁部と左被覆部（３１ａ）の縁部との間の間隔が上方から下方に向かうにつれて次第に広くなっている。即ち、図１において、Ｄ２＜Ｄ５となっている。
このような構成を採ることにより、第二部材（３２）の変形の自由度が下端部において高くなる。そのため、下端部付近に膨らみを有する形状の椅子脚に対して容易に且つ確実に装着することが可能となる。
【００２９】
連結手段の種類は、紐（４）には限定されず、例えば面ファスナーや弾性部材等を使用してもよい。
図６は、連結手段として面ファスナー（６）を使用した椅子脚カバー（１）を示す正面図であって、（ａ）は面ファスナー（６）による連結を解除した状態、（ｂ）は面ファスナー（６）により連結した状態をそれぞれ示している。
図示例において、面ファスナー（６）は、右被覆部（３１ａ）に雌部材、左被覆部（３１ｂ）に雄部材がそれぞれ取り付けられており、椅子脚への取り付け時において雌部材と雄部材とが互いに接合される。このとき、図示の如く上下方向に並ぶ複数の面ファスナー（６）を設けた場合、面ファスナー（６）が外周面被覆部（３）の上下方向の複数箇所において脚を締め付けるため、脚に対してしっかりと固定することができる。
尚、面ファスナー（６）の雄部材と雌部材の少なくともいずれか一方は、異なる太さの椅子脚に装着しても雄部材と雌部材を互いに接合できるように、十分な長さを有して形成することが好ましい。図示例では雄部材の長さを長く形成している。
【００３０】
連結手段として上述した紐（４）や面ファスナー（６）を使用した場合、右被覆部（３１ａ）と左被覆部（３１ｂ）とは分離可能に連結される。即ち、紐の結びをほどく或いは面ファスナーの接合を外すことにより、右被覆部（３１ａ）と左被覆部（３１ｂ）との連結状態が解除されて分離状態（右被覆部（３１ａ）と左被覆部（３１ｂ）との間を拡げることが可能な状態）となる。
【００３１】
図７は、連結手段として弾性部材（７）を使用した椅子脚カバー（１）を示す正面図である。
弾性部材（７）としては、伸縮性を有する紐状や帯状の部材が使用され、例えばゴム紐が好適に使用される。図７（ａ）は細いゴム紐を用いた場合、（ｂ）は幅広の帯状のゴムを用いた場合を示している。
弾性部材（７）は、右被覆部（３１ａ）と左被覆部（３１ｂ）との間を分離不能且つ伸縮可能に連結している。つまり、弾性部材（７）は、紐（４）のようにほどいたり、面ファスナー（６）のように外したりすることはできないが、その伸縮力を利用して被覆部（３１ａ）と左被覆部（３１ｂ）との間を拡げることが可能であるため、椅子脚への取り付け取り外し作業を容易に行うことができる。
【００３２】
第一部材（３１）の右被覆部（３１ａ）と左被覆部（３１ｂ）にはそれぞれ、上下方向に所定間隔をあけて複数（図示例では４つ）の貫通穴（５）が設けられている。弾性部材（７）は、隣り合う右被覆部（３１ａ）の貫通穴（５）と左被覆部（３１ｂ）の貫通穴（５）に挿通されて、隣り合う貫通穴間を連結している。図示例では４本の弾性部材（７）を使用しているが、本数は特に限定されず、１本でもよい。
椅子脚に対して椅子脚カバー（１）を取り付ける際には弾性部材（７）を伸長させて取り付けることができ、取り付け後においては弾性部材（７）により脚が締め付けられるため、しっかりと取り付けることができる。図示の如く上下方向に並ぶ複数の弾性部材（７）を設けた場合、弾性部材（７）が外周面被覆部（３）の上下方向の複数箇所において脚を締め付けるため、脚に対してしっかりと固定することができる。
【００３３】
本発明に係る椅子脚カバー（１）は、図８に示すように、外周面被覆部（３）が大径部と小径部とを有する形状としてもよい。具体的には、外周面被覆部（３）の上下方向における１箇所又は複数箇所にくびれ部（３３）を設けることができる。
このような構成を採ることにより、大径部と小径部（くびれ部）とを有する椅子脚の外周面に対して密着させてしっかりと装着することができ、脱落を防ぐことが可能となる。
【００３４】
図９乃至図１２は本発明に係る椅子脚カバーの使用状態を示す図である。
本発明に係る椅子脚カバー（１）は、図９に示す如く、椅子脚（Ａ）の下端部に被せて取り付けられる。
本発明に係る椅子脚カバー（１）によれば、外周面被覆部（３）内周の大きさや形状を椅子脚外周の大きさや形状に合わせて変化させた状態で椅子脚（Ａ）に取り付け、連結手段にて上下方向の複数箇所で締め付け固定することができる。そのため、様々な大きさや形状の椅子脚に対してしっかりと装着することができて外れにくい椅子脚カバーとなる。
例えば、図１０に示すような円形断面の脚（Ａ）に対して取り付ける際には外周面被覆部（３）の内周形状は円形となり、図１１に示すような方形断面の脚（Ａ）に対して取り付ける際には外周面被覆部（３）の内周形状は方形となる。また、図１２に示すような上方に向けて太くなる形状を有する椅子脚（Ａ）に対して取り付ける際には、上方の連結手段（紐や面ファスナー等）を緩めたり外したりすることで、容易に且つ確実に装着することが可能となる。更に、図１３に示すような大径部と小径部とを有する椅子脚（Ａ）に対しても、しっかりと締め付け固定することができる。
【産業上の利用可能性】
【００３５】
本発明に係る椅子脚カバーは、椅子の脚に取り付けて使用されるものであるが、椅子の他にも机やテーブル等の脚を有する家具全般に幅広く使用することが可能である。
【符号の説明】
【００３６】
１      椅子脚カバー
２      底面被覆部
３      外周面被覆部
３１    第一部材
３１ａ  右被覆部
３１ｂ  左被覆部
３２    第二部材
４      紐
５      貫通穴
６      面ファスナー
７      弾性部材
Ａ      椅子脚
【図１】
2014131555.tif 000003
【図２】
2014131555.tif 000004
【図３】
2014131555.tif 000005
【図４】
2014131555.tif 000006
【図５】
2014131555.tif 000007
【図６】
2014131555.tif 000008
【図７】
2014131555.tif 000009
【図８】
2014131555.tif 000010
【図９】
2014131555.tif 000011
【図１０】
2014131555.tif 000012
【図１１】
2014131555.tif 000013
【図１２】
2014131555.tif 000014
【図１３】
2014131555.tif 000015
【手続補正書】
【提出日】平成25年4月18日(2013.4.18)
【手続補正１】
【補正対象書類名】特許請求の範囲
【補正対象項目名】全文
【補正方法】変更
【補正の内容】
【特許請求の範囲】
【請求項１】
椅子の脚を被覆するように取り付けられる椅子脚カバーであって、
前記脚の底面を被覆する底面被覆部と、前記脚の外周面を被覆する軟質素材製の外周面被覆部とから構成されており、
前記外周面被覆部は、前記脚の外周面の後部及び側部を覆う第一部材と、該第一部材の内側に配置されて前記脚の外周面の前部を覆う第二部材とからなり、
前記第一部材は、前記脚の外周面の右側部分を覆う右被覆部と、前記脚の外周面の左側部分を覆う左被覆部とが、連結手段により互いに連結されており、
前記連結手段が紐であって、前記右被覆部及び前記左被覆部には複数の貫通穴が上下方向に間隔をあけて設けられており、前記貫通穴に挿通された紐により前記右被覆部と前記左被覆部とが分離可能に連結されていることを特徴とする椅子脚カバー。
【請求項２】
前記外周面被覆部が、大径部と小径部とを有することを特徴とする請求項１に記載の椅子脚カバー。
【請求項３】
前記第一部材は、前記連結手段により連結される連結部において、前記右被覆部の縁部と前記左被覆部の縁部との間の間隔が下方から上方に向かうにつれて次第に広くなっており、
前記第二部材の幅は、下方から上方に向かうにつれて次第に狭くなっている、
ことを特徴とする請求項１又は２に記載の椅子脚カバー。
【請求項４】
前記第一部材は、前記連結部の下端部より下方において、前記右被覆部の縁部と前記左被覆部の縁部との間の間隔が上方から下方に向かうにつれて次第に広くなっている、
ことを特徴とする請求項３記載の椅子脚カバー。
【手続補正２】
【補正対象書類名】明細書
【補正対象項目名】０００６
【補正方法】変更
【補正の内容】
【０００６】
請求項１に係る発明は、椅子の脚を被覆するように取り付けられる椅子脚カバーであって、前記脚の底面を被覆する底面被覆部と、前記脚の外周面を被覆する軟質素材製の外周面被覆部とから構成されており、前記外周面被覆部は、前記脚の外周面の後部及び側部を覆う第一部材と、該第一部材の内側に配置されて前記脚の外周面の前部を覆う第二部材とからなり、前記第一部材は、前記脚の外周面の右側部分を覆う右被覆部と、前記脚の外周面の左側部分を覆う左被覆部とが、連結手段により互いに連結されており、前記連結手段が紐であって、前記右被覆部及び前記左被覆部には複数の貫通穴が上下方向に間隔をあけて設けられており、前記貫通穴に挿通された紐により前記右被覆部と前記左被覆部とが分離可能に連結されていることを特徴とする椅子脚カバーに関する。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
請求項２に係る発明は、前記外周面被覆部が、大径部と小径部とを有することを特徴とする請求項１に記載の椅子脚カバーに関する。
【手続補正７】
【補正対象書類名】明細書
【補正対象項目名】００１１
【補正方法】変更
【補正の内容】
【００１１】
請求項３に係る発明は、前記第一部材は、前記連結手段により連結される連結部において、前記右被覆部の縁部と前記左被覆部の縁部との間の間隔が下方から上方に向かうにつれて次第に広くなっており、前記第二部材の幅は、下方から上方に向かうにつれて次第に狭くなっている、ことを特徴とする請求項１又は２に記載の椅子脚カバーに関する。
【手続補正８】
【補正対象書類名】明細書
【補正対象項目名】００１２
【補正方法】変更
【補正の内容】
【００１２】
請求項４に係る発明は、前記第一部材は、前記連結部の下端部より下方において、前記右被覆部の縁部と前記左被覆部の縁部との間の間隔が上方から下方に向かうにつれて次第に広くなっている、ことを特徴とする請求項３記載の椅子脚カバーに関する。
【手続補正９】
【補正対象書類名】明細書
【補正対象項目名】００１４
【補正方法】変更
【補正の内容】
【００１４】
請求項１に係る発明によれば、前記連結手段が紐であって、前記右被覆部及び前記左被覆部には複数の貫通穴が上下方向に間隔をあけて設けられており、前記貫通穴に挿通された紐により前記右被覆部と前記左被覆部とが分離可能に連結されていることから、複数箇所で椅子脚を締め付けることができ、椅子脚から外れにくくなる。しかも、紐を結ぶ位置を変えることにより、例えば、上部が太い椅子脚や、太い部分と細い部分を有する椅子脚に対しても、しっかりと締め付け固定することができる。
【手続補正１０】
【補正対象書類名】明細書
【補正対象項目名】００１５
【補正方法】変更
【補正の内容】
【００１５】
本発明の参考形態によれば、前記連結手段が面ファスナーであって、該面ファスナーにより前記右被覆部と前記左被覆部とが分離可能に連結されていることから、椅子脚への取り付け及び取り外しを容易に行うことができる。
【手続補正１１】
【補正対象書類名】明細書
【補正対象項目名】００１６
【補正方法】変更
【補正の内容】
【００１６】
本発明の参考形態によれば、前記連結手段が弾性部材であって、該弾性部材は前記右被覆部と前記左被覆部との間を分離不能且つ伸縮可能に連結していることから、弾性部材の伸縮を利用して椅子脚に対して取り付け及び取り外しを行うことができるため、紐を結んだり面ファスナーを接合させたりする作業が不要となり、簡単に短時間で取り付け及び取り外しを行うことが可能となる。
【手続補正１２】
【補正対象書類名】明細書
【補正対象項目名】００１７
【補正方法】変更
【補正の内容】
【００１７】
請求項２に係る発明によれば、前記外周面被覆部が大径部と小径部とを有することから、大径部と小径部とを有する椅子脚の外周面に対して密着させてしっかりと装着することができ、脱落を防ぐことが可能となる。
【手続補正１３】
【補正対象書類名】明細書
【補正対象項目名】００１８
【補正方法】変更
【補正の内容】
【００１８】
請求項３に係る発明によれば、第一部材は、連結手段により連結される連結部において、右被覆部の縁部と左被覆部の縁部との間の間隔が下方から上方に向かうにつれて次第に広くなっており、第二部材の幅は、下方から上方に向かうにつれて次第に狭くなっていることから、第二部材の変形の自由度が上方において高くなる。そのため、上方に向けて太くなる形状を有する椅子脚に対して容易に且つ確実に装着することが可能となる。
【手続補正１４】
【補正対象書類名】明細書
【補正対象項目名】００１９
【補正方法】変更
【補正の内容】
【００１９】
請求項４に係る発明によれば、第一部材は、連結部の下端部より下方において、右被覆部の縁部と左被覆部の縁部との間の間隔が上方から下方に向かうにつれて次第に広くなっていることから、第二部材の変形の自由度が下端部において高くなる。そのため、下端部付近に膨らみを有する形状の椅子脚に対して容易に且つ確実に装着することが可能となる。
【手続補正１５】
【補正対象書類名】明細書
【補正対象項目名】００２０
【補正方法】変更
【補正の内容】
【００２０】
【図１】本発明に係る椅子脚カバーの正面図である。
【図２】本発明に係る椅子脚カバーの左側面図である。
【図３】本発明に係る椅子脚カバーの平面図である。
【図４】本発明に係る椅子脚カバーの底面図である。
【図５】本発明に係る椅子脚カバーの第一部材の展開図（ａ）と第二部材の展開図（ｂ）である。
【図６】本発明に係る椅子脚カバーの参考形態を示す正面図である。
【図７】本発明に係る椅子脚カバーの参考形態を示す正面図である。
【図８】本発明に係る椅子脚カバーの変更例を示す正面図である。
【図９】本発明に係る椅子脚カバーの使用状態の一例を示す図である。
【図１０】本発明に係る椅子脚カバーの使用状態の一例を示す拡大図である。
【図１１】本発明に係る椅子脚カバーの使用状態の一例を示す拡大図である。
【図１２】本発明に係る椅子脚カバーの使用状態の一例を示す拡大図である。
【図１３】本発明に係る椅子脚カバーの使用状態の一例を示す拡大図である。
【手続補正１６】
【補正対象書類名】明細書
【補正対象項目名】００２５
【補正方法】変更
【補正の内容】
【００２５】
本発明においては分離可能及び／又は伸縮可能な連結手段が好適に使用される。また、連結手段は、外周面被覆部（３）の上下方向の複数箇所において、脚を締め付けることができるように設けることが好ましい。
【手続補正１７】
【補正対象書類名】明細書
【補正対象項目名】００２９
【補正方法】変更
【補正の内容】
【００２９】
本発明では連結手段として紐（４）を用いるが、本発明の参考形態として、連結手段として面ファスナーや弾性部材を使用した形態を説明する。
図６は、連結手段として面ファスナー（６）を使用した椅子脚カバー（１）を示す正面図であって、（ａ）は面ファスナー（６）による連結を解除した状態、（ｂ）は面ファスナー（６）により連結した状態をそれぞれ示している。
図示例において、面ファスナー（６）は、右被覆部（３１ａ）に雌部材、左被覆部（３１ｂ）に雄部材がそれぞれ取り付けられており、椅子脚への取り付け時において雌部材と雄部材とが互いに接合される。このとき、図示の如く上下方向に並ぶ複数の面ファスナー（６）を設けた場合、面ファスナー（６）が外周面被覆部（３）の上下方向の複数箇所において脚を締め付けるため、脚に対してしっかりと固定することができる。
尚、面ファスナー（６）の雄部材と雌部材の少なくともいずれか一方は、異なる太さの椅子脚に装着しても雄部材と雌部材を互いに接合できるように、十分な長さを有して形成することが好ましい。図示例では雄部材の長さを長く形成している。